(57)【要約】 【課題】  高級部材を印鑑本体の素材として用いることにより外観全体としての審美性と高級感を醸し出すことができる印鑑を提供すること。【解決手段】  印鑑１を、氏名や名称が刻設される下部部材１０と、この下部部材１０の上部に接着固定される上部部材２０で構成する。下部部材１０を、珊瑚を用いて形成し、この珊瑚の一面に、氏名や名称を刻設する。この下部部材の上部に１種類以上の光沢を有する部材、例えば、金２１、銀２２又はプラチナ２３などの貴金属から構成される上部部材２０を接着固定する。【選択図】   図１
0003185769.tif 000002
【実用新案登録請求の範囲】
【請求項１】
氏名や名称が刻設される下部部材と、前記下部部材の上部に接着固定される上部部材とからなる印鑑において、前記下部部材は所定形状に加工された珊瑚から構成され、前記上部部材は１種類以上の光沢を有する部材から構成されることを特徴とする印鑑。
【請求項２】
前記上部部材は、金又は銀あるいはプラチナの１種類以上の貴金属で構成されることを特徴とする請求項１に記載の印鑑。
【請求項３】
前記上部部材は、金及び銀あるいはプラチナの２種類の貴金属で構成されることを特徴とする請求項１に記載の印鑑。
【請求項４】
前記珊瑚の上部に銀又はプラチナが接着固定され、該銀又はプラチナの上部に金が接着固定されていることを特徴とする請求項３に記載の印鑑。
【請求項５】
前記上部部材のうち金は、金メッキ又は金合金で代替可能であることを特徴とする請求項２〜４のいずれかに記載の印鑑。
【請求項６】
前記上部部材のうち銀は、銀メッキ又は銀合金で代替可能であることを特徴とする請求項２〜４のいずれかに記載の印鑑。
【請求項７】
前記上部部材のうちプラチナは、プラチナ合金で代替可能であることを特徴とする請求項２〜４のいずれかに記載の印鑑。
【考案の詳細な説明】
【技術分野】
【０００１】
本考案は、印鑑に関し、特に、金、銀並びに珊瑚を印鑑本体の素材として用いることにより高級感を醸し出すことができる印鑑に関するものである。
【背景技術】
【０００２】
従来、貴金属材料等を用いて高級感を醸し出させる印鑑として、例えば、特許文献１に記載されるような印鑑がある。この印鑑は、象牙などの高級材料よりなる円柱形状印材の周面任意個所に、正面形状が小径の円形で、断面形状が蟻溝構造をした比較的浅く而も内底面を凹球面状とした凹所を刻設し、この凹所内に金又は銀などの貴金属材料からなる象眼部材を埋入充填し、その象眼部材の外表面を印材の円柱状表面と同一面に形成するとともに、凹所の内底面と象眼部材とを接着剤などの固定手段で結合した前印を付設したものである。
【０００３】
この特許文献１によれば、凹所内に象眼部材（金や銀などの貴金属材料）を用いているため、高級印鑑の審美性を損なうことなく印鑑の高級メイージが増大させることができるとしている。
【先行技術文献】
【特許文献】
【０００４】
【特許文献１】実用新案登録第３０２０２３０号公報
【考案の概要】
【考案が解決しようとする課題】
【０００５】
しかしながら、上記特許文献に示された印鑑によれば、以下のような問題がある。
（１）印材の任意の箇所に凹所を刻設して、その刻設された凹所に金や銀などの象眼部材を埋入充填して固定するようにしているが、それだけでは、単に象眼部材が埋入固定された印鑑に過ぎず、高級イメージを増大させる程までの外観の審美性を得ることができないという問題がある。
（２）印鑑本体は象牙が用いられているが、象牙自体はおおよそ白色に近いアイボリー色であって落ち着いた色であるため、この素材自体では高級感を醸し出させることができないという問題がある。
【０００６】
従って、本考案の目的は、高級部材を印鑑本体の素材として用いることにより外観全体としての審美性と高級感を醸し出すことができる印鑑を提供するものである。
【課題を解決するための手段】
【０００７】
本考案は、上記の目的を達成するために、氏名や名称が刻設される下部部材と、前記下部部材の上部に接着固定される上部部材とからなる印鑑において、前記下部部材は所定形状に加工された珊瑚から構成され、前記上部部材は１種類以上の光沢を有する部材から構成されることを特徴とする印鑑を提供するものである。
【０００８】
以上の構成において、前記上部部材は、金又は銀あるいはプラチナの１種類以上の貴金属で構成されることを特徴とする。
【０００９】
また、前記上部部材は、金及び銀あるいはプラチナの２種類の貴金属で構成されることを特徴とする。
【００１０】
また、前記珊瑚の上部に銀又はプラチナが接着固定され、該銀又はプラチナの上部に金が接着固定されていることを特徴とする。
【００１１】
また、前記上部部材のうち金は、金メッキ又は金合金で代替可能であることを特徴とする。
【００１２】
また、前記上部部材のうち銀は、銀メッキ又は銀合金で代替可能であることを特徴とする。
【００１３】
また、前記上部部材のうちプラチナは、プラチナ合金で代替可能であることを特徴とする。
【考案の効果】
【００１４】
本考案は、以上のように、氏名や名称が刻設される下部部材と、前記下部部材の上部に接着固定される上部部材とからなる印鑑において、前記下部部材は所定形状に加工された珊瑚から構成され、前記上部部材は１種類以上の光沢を有する部材から構成されるため、外観全体としての審美性と高級感を醸し出すことができる印鑑を提供することができる。
【図面の簡単な説明】
【００１５】
【図１】本考案の実施の形態に係る印鑑の構成を示す斜視図である。
【図２】上部部材が２種類のものからなる印鑑を示す斜視図である。
【考案を実施するための形態】
【００１６】
以下、図面を参照しながら、本考案の実施の形態に係る印鑑を詳細に説明する。
図１は、本考案の実施の形態に係る印鑑の構成を示す斜視図である。
図に示すように、印鑑１は、氏名や名称が刻設される下部部材１０と、この下部部材１０の上部に接着固定される上部部材２０とから構成されている。
以上の構成において、下部部材１０は、珊瑚１１からなる。珊瑚を用いる理由は、所定の硬度を有するとともに氏名や名称を刻設することができること、および、古来より、金・銀・珊瑚と呼ばれて、高級なものの代名詞とされていること、また、珊瑚は色と模様が同じものは１つもなく一本一本が全て違うので、高級感とともに逸品物を所有する優越感をも満たすことができるからである。この珊瑚１１を、例えば、円柱状等の所定形状に加工形成し、一面に氏名や名称を刻設する。
【００１７】
上部部材２０は、１種類以上の光沢を有する部材、例えば、金２１又は銀２２あるいはプラチナ２３などの貴金属から構成される。金や銀は、前述したように、素材自体が高級なものの代名詞とされているとともに、金色および銀色の光沢を有するために、高級感を醸し出すことができるためである。この部材を、例えば、円柱状等の所定形状に加工形成し、上部部材２０を形成する。
【００１８】
こうして形成された上部部材２０と下部部材１０である珊瑚の他面とを接着剤（図示せず）で接着固定し、印鑑１とする。
【００１９】
図２は、上部部材が２種類のものからなる印鑑を示す斜視図である。
図に示すように、上部部材２０は、金２１および銀２２又はプラチナ２３の２種類の光沢を有する貴金属によって構成されている。この場合、金２１および銀２２又はプラチナ２３の２種類の貴金属も同様に円柱状等の所定形状に加工形成しその端面を接着剤（図示せず）によって接着固定する。
【００２０】
この場合、光沢を出せるのであれば、金２１に代えて金メッキしたもの又は金合金のものでもよく、銀２２に代えて銀メッキしたもの又は銀合金、あるいは、プラチナ２３に代えてプラチナ合金のものでもよい。
【００２１】
なお、下部部材１０である珊瑚１１と上部部材２０の配置構成については、上部部材２０が金２１（金メッキしたもの又は金合金）及び銀２２（銀メッキしたもの又は銀合金）又はプラチナ２３（プラチナ合金）の２種類のものからなる場合には、古来よりの、「金・銀・珊瑚」の呼び名にふさわしく、上部から下部に向かって、金（金メッキしたもの又は金合金）、銀（銀メッキしたもの又は銀合金）又はプラチナ２３（プラチナ合金）、珊瑚１１の順に配置される構成が望ましい。
【００２２】
このように、印鑑を、下部部材である珊瑚と、１種類以上の光沢を有する上部部材から構成するようにしたため、外観全体としての審美性と高級感を醸し出すことができる。
【００２３】
加えて、上部部材を、金（金メッキしたもの又は金合金）、銀（銀メッキしたもの又は銀合金）又はプラチナ（プラチナ合金）で構成するとともに、これに、珊瑚を配置する構成とすれば、古来よりの、「金・銀・珊瑚」の故事に則った呼び名にふさわしく、更に、外観全体としての審美性と高級感を醸し出させることができる。
【００２４】
なお、上記の例では、金の種類について特に限定するものではないが、高級感を諭旨落ち着いた光沢を有する１８金であることが望ましい。また、例えば、この印鑑を収納する袋に綾綿を使用するようにすれば、更に、この印鑑の高級感を増大させることができる。
【００２５】
また、上記の例および図面では、実施の形態の一例として、円柱状の一般的な印鑑を例にして説明しているが、これに限られるものではなく、例えば、会社で用いられる社判や、書画・絵画・墨絵・絵手紙などの作品の仕上げに捺印する落款印等にも適用することができる。
【符号の説明】
【００２６】
１    印鑑
１０  下部部材
１１  珊瑚
２０  上部部材
２１  金（金メッキしたもの又は金合金）
２２  銀（銀メッキしたもの又は銀合金）
２３  プラチナ（プラチナ合金）
【図１】
0003185769.tif 000003
【図２】
0003185769.tif 000004
【手続補正書】
【提出日】平成25年6月27日(2013.6.27)
【手続補正１】
【補正対象書類名】実用新案登録請求の範囲
【補正対象項目名】全文
【補正方法】変更
【補正の内容】
【実用新案登録請求の範囲】
【請求項１】
氏名や名称が刻設される下部部材と、前記下部部材の上部に接着固定される上部部材とからなる印鑑において、前記下部部材は所定形状に加工された珊瑚から構成され、前記上部部材は１種類以上の光沢を有する部材から構成されることを特徴とする印鑑。
【請求項２】
前記上部部材は、金又は銀あるいはプラチナの１種類以上の貴金属で構成されることを特徴とする請求項１に記載の印鑑。
【請求項３】
前記上部部材は、金及び銀あるいはプラチナの２種類の貴金属で構成されることを特徴とする請求項１に記載の印鑑。
【請求項４】
前記珊瑚の上部に銀又はプラチナが接着固定され、該銀又はプラチナの上部に金が接着固定されていることを特徴とする請求項３に記載の印鑑。
【請求項５】
前記上部部材のうち金は、金メッキ又は金合金であることを特徴とする請求項２〜４のいずれかに記載の印鑑。
【請求項６】
前記上部部材のうち銀は、銀メッキ又は銀合金であることを特徴とする請求項２〜４のいずれかに記載の印鑑。
【請求項７】
前記上部部材のうちプラチナは、プラチナ合金であることを特徴とする請求項２〜４のいずれかに記載の印鑑。